【手続補正書】
【提出日】平成24年11月20日(2012.11.20)
【手続補正１】
【補正対象書類名】明細書
【補正対象項目名】発明の名称
【補正方法】変更
【補正の内容】
【発明の名称】印刷制御装置、データ処理方法及びプログラム
【手続補正２】
【補正対象書類名】明細書
【補正対象項目名】０００１
【補正方法】変更
【補正の内容】
【０００１】
本発明は、画像を印刷する印刷媒体を供給するための複数の供給部を備える印刷装置で印刷を行うための印刷データを生成する印刷制御装置、印刷制御装置において生成した印刷データを、画像を印刷する印刷媒体を供給するための複数の供給部を備える印刷装置において印刷するためのデータ処理方法及びプログラムに関する。
【手続補正３】
【補正対象書類名】明細書
【補正対象項目名】００１１
【補正方法】変更
【補正の内容】
【００１１】
本発明は、印刷媒体を供給する供給部を、印刷データを生成する印刷制御装置で決定するか、印刷装置で決定するかを適宜選択可能な印刷制御装置、データ処理方法及びプログラムを提供することを目的とする。
【手続補正４】
【補正対象書類名】明細書
【補正対象項目名】００１２
【補正方法】変更
【補正の内容】
【００１２】
本発明の印刷制御装置は、画像を印刷する印刷媒体を供給するための複数の供給部を備える印刷装置で印刷を行うための印刷データを生成する印刷制御装置であって、上記複数の供給部の状態を取得する状態取得手段と、上記状態取得手段が取得した供給部の状態と印刷データの属性とに基づいて上記複数の供給部のいずれかを決定する決定手段と、上記供給部の決定処理を、上記決定手段で行うか、上記印刷装置で行わせるかを選択する選択手段と、上記選択手段による選択結果に応じた制御コマンドと印刷データとを上記印刷装置に送信する送信手段とを有し、上記送信手段は、上記選択手段により上記供給部の決定処理を上記決定手段で行うことが選択されている場合、上記複数の供給部のうち上記決定手段で決定された供給部を示す情報を含む制御コマンドを印刷データとともに上記印刷装置に送信し、上記印刷装置で行わせることが選択されている場合、上記供給部の決定処理を上記印刷装置で行わせるための情報を含む制御コマンドを印刷データとともに上記印刷装置に送信することを特徴とする。
【手続補正５】
【補正対象書類名】明細書
【補正対象項目名】００１３
【補正方法】変更
【補正の内容】
【００１３】
本発明によれば、印刷媒体を供給する供給部を、印刷データを生成する印刷制御装置で決定するか、印刷装置で決定するかを適宜選択することができるという効果を奏する。
【手続補正６】
【補正対象書類名】特許請求の範囲
【補正対象項目名】全文
【補正方法】変更
【補正の内容】
【特許請求の範囲】
【請求項１】
画像を印刷する印刷媒体を供給するための複数の供給部を備える印刷装置で印刷を行うための印刷データを生成する印刷制御装置であって、
上記複数の供給部の状態を取得する状態取得手段と；
上記状態取得手段が取得した供給部の状態と印刷データの属性とに基づいて上記複数の供給部のいずれかを決定する決定手段と；
上記供給部の決定処理を、上記決定手段で行うか、上記印刷装置で行わせるかを選択する選択手段と；
上記選択手段による選択結果に応じた制御コマンドと印刷データとを上記印刷装置に送信する送信手段とを有し、
上記送信手段は、上記選択手段により上記供給部の決定処理を上記決定手段で行うことが選択されている場合、上記複数の供給部のうち上記決定手段で決定された供給部を示す情報を含む制御コマンドを印刷データとともに上記印刷装置に送信し、上記印刷装置で行わせることが選択されている場合、上記供給部の決定処理を上記印刷装置で行わせるための情報を含む制御コマンドを印刷データとともに上記印刷装置に送信することを特徴とする印刷制御装置。
【請求項２】
上記選択手段は、印刷ジョブの処理内容に応じて、上記決定手段により供給部を決定するか、上記印刷装置により供給部を決定するかを選択することを特徴とする請求項１に記載の印刷制御装置。
【請求項３】
上記選択手段は、印刷データを回転させてから上記印刷装置で印刷させるか否かに応じて上記決定手段により供給部を決定するか、上記印刷装置により供給部を決定するかを選択することを特徴とする請求項２に記載の印刷制御装置。
【請求項４】
上記複数の供給部のいずれかを指定する指定手段を有し、
上記選択手段は、上記指定手段により上記複数の供給部のいずれかが指定されていない場合に上記供給部の決定処理を上記決定手段で行うか、上記印刷装置で行わせるかを選択することを特徴とする請求項１から３のいずれか１項に記載の印刷制御装置。
【請求項５】
印刷制御装置において生成した印刷データを、画像を印刷する印刷媒体を供給するための複数の供給部を備える印刷装置において印刷するためのデータ処理方法であって、
上記印刷制御装置において、
上記複数の供給部のいずれから供給される印刷媒体を用いて印刷させるかを決定する処理を、上記印刷制御装置において行うか上記印刷装置において行うか選択し、
上記印刷制御装置において行うと選択された場合、上記複数の供給部の状態を取得し、
上記取得した供給部の状態と印刷データの属性とに基づいて上記複数の供給部のいずれかを決定し、
上記選択において、上記印刷制御装置において行うと選択された場合、上記決定された供給部を示す情報を含む制御コマンドを印刷データとともに上記印刷装置に送信し、
上記選択において、上記印刷装置において行うと選択された場合、上記複数の供給部のいずれから供給される印刷媒体を用いて印刷させるかを決定する処理を上記印刷装置で行わせるための情報を含む制御コマンドを印刷データとともに上記印刷装置に送信し、
上記印刷装置において、
上記印刷制御装置から送信された制御コマンドに上記複数の供給部のいずれかを示す情報が含まれている場合、当該制御コマンドによって特定される供給部から供給される印刷媒体に、上記印刷制御装置から送信された印刷データに基づく画像を印刷し、
上記印刷制御装置から送信された制御コマンドに上記複数の供給部のいずれから供給される印刷媒体を用いて印刷させるかを決定する処理を上記印刷装置で行わせるための情報が含まれている場合、上記複数の供給部の状態を取得し、上記取得した供給部の状態と上記印刷制御装置から送信された印刷データの属性とに基づいて上記複数の供給部のいずれかを決定し、決定された供給部から供給される印刷媒体に、上記印刷データに基づく画像を印刷することを特徴とするデータ処理方法。
【請求項６】
画像を印刷する印刷媒体を供給するための複数の供給部を備える印刷装置で印刷を行うための印刷データを生成する印刷制御装置で行われる処理をコンピュータにより実現するためのプログラムであって、
上記複数の供給部の状態を取得する取得工程と；
上記取得工程で取得した供給部の状態と印刷データの属性とに基づいて上記複数の供給部のいずれかを決定する決定工程と；
上記供給部の決定処理を、上記決定工程で行うか、上記印刷装置で行わせるかを選択する選択工程と；
上記選択工程により上記供給部の決定処理を上記決定工程で行うことが選択されている場合、上記複数の供給部のうち上記決定工程で決定された供給部を示す情報を含む制御コマンドを印刷データとともに上記印刷装置に送信する工程と；
上記選択工程により上記供給部の決定処理を上記印刷装置で行わせることが選択されている場合、上記供給部の決定処理を上記印刷装置で行わせるための情報を含む制御コマンドを印刷データとともに上記印刷装置に送信する工程と；
を有することを特徴とするプログラム。